(57)【要約】【課題】  棒状化粧料の抜け及び折れを防止し且つ円滑に進退させる。【解決手段】  棒状化粧料Ｍの後端部を棒状化粧料支持体３の複数の支持片３ｄにより支持すると共に棒状化粧料Ｍの後端面Ｅを接着剤Ｂにより棒状化粧料支持体３の基部３ｃに接着し、棒状化粧料Ｍを棒状化粧料支持体３に強固に支持する。また、隣接する支持片３ｄ，３ｄ同士の間の隙間を塞ぐように設けられ基部３ｃの棒状化粧料Ｍに対する当接面の縁部から延出する延出壁３ｇが、支持片３ｄの軸線方向途中迄延出する構成とし、進退孔１ｃにおける支持片溝１ｂを除く内周面を棒状化粧料Ｍに近接可能として当該近接部分により棒状化粧料Ｍのブレを良好に支えることを可能とする。また、隣接する支持片３ｄ，３ｄ同士の間の隙間を塞ぐように設けられた延出壁３ｇにより、接着剤Ｂの棒状化粧料支持体３の周面への漏出を防止し、棒状化粧料支持体３の周面に対する接着剤Ｂの付着を防止する。【選択図】  図２
2006158781.tif 000002
【特許請求の範囲】
【請求項１】
棒状化粧料の後端面が突き当てられる基部と、この基部の外周面において周方向に複数配設されて前方へ突出し前記棒状化粧料の後端部の外周面を支持する支持片と、を有する棒状化粧料支持体において、
隣接する支持片同士の間の隙間を塞ぐように設けられ、前記基部の前記棒状化粧料に対する当接面の縁部から前記支持片の軸線方向途中迄延出する延出壁を具備し、
前記基部に対して前記棒状化粧料の後端面が接着剤により接着されることを特徴とする棒状化粧料支持体。
【請求項２】
前記基部には、接着剤溜まりとなる凹部が設けられていることを特徴とする請求項１記載の棒状化粧料支持体。
【請求項３】
請求項１又は２記載の棒状化粧料支持体を備えた棒状化粧料繰出容器であって、
前記棒状化粧料及び前記基部の進退を可能とする棒状化粧料孔の周面の複数箇所に前記支持片の進退を可能とする支持片溝を連設して成る非円形形状の進退孔を具備した先筒と、
この先筒の後端側に回転自在に連結された操作筒と、を具備し、
前記先筒と前記操作筒の相対回転による螺合機構の動作に従い前記棒状化粧料支持体が前記進退孔で進退され前記棒状化粧料が前記先筒の先端から出没することを特徴とする棒状化粧料繰出容器。
【発明の詳細な説明】
【技術分野】
【０００１】
本発明は、棒状化粧料を支持する棒状化粧料支持体及びこれを備えた棒状化粧料繰出容器に関する。
【背景技術】
【０００２】
従来、棒状化粧料繰出容器として、棒状化粧料の後端面が突き当てられる基部及び当該基部の外周面において周方向に複数配設されて前方へ突出し棒状化粧料の後端部の外周面を支持する支持片（把持片）を有する棒状化粧料支持体（チャック部）と、棒状化粧料及び基部の進退を可能とする棒状化粧料孔の周面の複数箇所に支持片の進退を可能とする支持片溝（進退溝）を連設して成る非円形形状の進退孔を有する先筒（カートリッジ筒）と、この先筒の後端側に回転自在に連結された操作筒（カートリッジ収容容器）と、を具備し、先筒と操作筒の相対回転による螺合機構の動作に従い棒状化粧料支持体が進退孔で進退され棒状化粧料が先筒の先端から出没する棒状化粧料繰出容器が知られている（例えば、特許文献１参照）。
【特許文献１】特開２００４−１８８０１６号公報
【発明の開示】
【発明が解決しようとする課題】
【０００３】
ここで、上記棒状化粧料繰出容器にあっては、進退孔における支持片溝を除く内周面が、棒状化粧料の外周面に近接しているため、例えば落下等による衝撃や振動等の外力作用時に、棒状化粧料の折れは防止されるが、棒状化粧料の棒状化粧料支持体からの抜け防止は十分では無い。
【０００４】
本発明は、このような課題を解決するために成されたものであり、例えば落下等による衝撃や振動等の外力作用時に、棒状化粧料の棒状化粧料支持体からの抜け及び棒状化粧料の折れが防止されると共に、棒状化粧料支持体の円滑な進退が可能とされる棒状化粧料支持体及びこれを備えた棒状化粧料繰出容器を提供することを目的とする。
【課題を解決するための手段】
【０００５】
本発明による棒状化粧料支持体は、棒状化粧料の後端面が突き当てられる基部と、この基部の外周面において周方向に複数配設されて前方へ突出し棒状化粧料の後端部の外周面を支持する支持片と、を有する棒状化粧料支持体において、隣接する支持片同士の間の隙間を塞ぐように設けられ、基部の棒状化粧料に対する当接面の縁部から支持片の軸線方向途中迄延出する延出壁を具備し、棒状化粧料の後端面が基部に接着剤により接着されることを特徴としている。
【０００６】
このような棒状化粧料支持体によれば、棒状化粧料の後端部が棒状化粧料支持体の複数の支持片により支持されると共に当該棒状化粧料の後端面が接着剤により棒状化粧料支持体の基部に接着されるため、棒状化粧料が棒状化粧料支持体に強固に支持される。また、隣接する支持片同士の間の隙間を塞ぐように設けられ基部の棒状化粧料に対する当接面の縁部から延出する延出壁が、支持片の軸線方向途中迄延出する構成のため、棒状化粧料における延出壁より先端側の部分にあっては、進退孔における支持片溝を除く内周面が棒状化粧料に近接可能とされ当該近接部分により当該棒状化粧料のブレが良好に支えられる。また、このように隣接する支持片同士の間の隙間を塞ぐように延出壁が設けられるため、当該延出壁により、接着剤が棒状化粧料支持体の周面へ漏出することが防止され、当該棒状化粧料支持体の周面に対する接着剤の付着が防止される。
【０００７】
ここで、基部には、接着剤溜まりとなる凹部が設けられていると、基部に対する接着剤の接着面積が大きくされるため、棒状化粧料が棒状化粧料支持体に一層強固に支持される。
【０００８】
また、上記作用を好適に奏する棒状化粧料繰出容器としては、棒状化粧料及び基部の進退を可能とする棒状化粧料孔の周面の複数箇所に支持片の進退を可能とする支持片溝を連設して成る非円形形状の進退孔を具備した先筒と、この先筒の後端側に回転自在に連結された操作筒と、を具備し、先筒と操作筒の相対回転による螺合機構の動作に従い棒状化粧料支持体が進退孔で進退され棒状化粧料が先筒の先端から出没する構成が挙げられる。
【発明の効果】
【０００９】
このように本発明によれば、棒状化粧料が棒状化粧料支持体に強固に支持されるため、例えば落下等による衝撃や振動等の外力作用時に、棒状化粧料の棒状化粧料支持体からの抜けを防止することが可能になる。また、進退孔における支持片溝を除く内周面が棒状化粧料に近接可能とされ当該近接部分により棒状化粧料のブレが良好に支えられるため、例えば落下等による衝撃や振動等の外力作用時に、棒状化粧料の折れを防止することが可能になる。また、棒状化粧料支持体の周面に対する接着剤の付着が防止されるため、棒状化粧料支持体を円滑に進退させることが可能となる。
【発明を実施するための最良の形態】
【００１０】
以下、本発明による棒状化粧料支持体を備えた棒状化粧料繰出容器の好適な実施形態について図１〜図７を参照しながら説明する。なお、各図において、同一の要素には同一の符号を付し、重複する説明は省略する。
【００１１】
図１は、棒状化粧料繰出容器の外観を示す斜視図、図２は、棒状化粧料繰出容器の破断斜視図、図３は、棒状化粧料装着前の棒状化粧料繰出容器の破断斜視図、図４〜図７は、棒状化粧料支持体を示す各図であり、本実施形態の棒状化粧料繰出容器は、例えば、アイライナー、アイブロー、リップライナー等を始めとした種々の固形状の棒状化粧料を収容し、使用者が必要に応じて適宜出没可能とするものである。
【００１２】
図１に示すように、棒状化粧料繰出容器１００は、全体形状が筆記具の如き細長い丸棒状（スティック状）を成し良好な外観を呈するもので、図２及び図３に示すように、円筒状の先筒１と、その前半部に先筒１の後端部を外挿して当該先筒１に回転自在且つ軸線方向移動不能に連結された有底円筒状の操作筒２と、を外形構成として具備し、これらの先筒１及び操作筒２内に、棒状化粧料Ｍと、これを支持する棒状化粧料支持体３と、螺合機構を構成する螺子筒４とを収容して成る。
【００１３】
螺子筒４は、その内周面の先端側に一対の対向する螺合突起（不図示）を螺合機構を構成する雌螺子として有している。また、螺子筒４には、その外周面の先端側に鍔部４ａが設けられると共に、この鍔部４ａより後側で周方向に１８０°離間した位置に一対の突部４ｂが各々設けられている。
【００１４】
この螺子筒４は、その各突部４ｂが、操作筒２の先端から軸線方向途中迄延びるように周壁に設けられた一対の対向するスリット２ａに各々進入するようにして、その鍔部４ａより後側部分が操作筒２に内挿され、操作筒２に回転不能且つ軸線方向移動可能に連結されている。
【００１５】
先筒１は、その先端の外径が細くなる先細り形状を有する円筒状とされている。この先筒１の軸線方向に貫通する筒孔は、先端から軸線方向中央辺り迄が、円柱形状の棒状化粧料Ｍを収容し摺動を可能とする横断面円形形状の棒状化粧料孔１ａとされ、この棒状化粧料孔１ａの終端の拡大する段差面１ｄから先筒１の後端迄が、棒状化粧料孔１ａより大径の円形形状の孔とされている。
【００１６】
この先筒１には、棒状化粧料孔１ａの先端近傍から当該棒状化粧料孔１ａの後端に亘って当該棒状化粧料孔１ａの周面の複数箇所（本実施形態では四等配の位置）に、図３、図６及び図７に示すように、棒状化粧料支持体３の後述する支持片３ｄを収容し摺動を可能とする支持片溝１ｂが連設され、これらの棒状化粧料孔１ａ及び支持片溝１ｂにより、棒状化粧料Ｍ及び支持片３ｄが摺動する進退孔１ｃが構成されている。
【００１７】
棒状化粧料支持体３は、図２〜図５に示すように、棒状化粧料Ｍの後端部を支持するための支持部３ａと、この支持部３ａより後側の軸体部３ｂと、を備えている。
【００１８】
軸体部３ｂは、図４に示すように、軸線方向に延在する軸体であり、当該軸体部３ｂの外周面には、螺合機構を構成する雄螺子３ｅが軸線方向に延びるように設けられている。
【００１９】
支持部３ａは、図２、図４及び図５に示すように、棒状化粧料Ｍの後端面Ｅを突き当てるための基部３ｃと、この基部３ｃに突き当てられた棒状化粧料Ｍの後端部を支持するための複数の支持片３ｄと、を備えている。
【００２０】
基部３ｃは、円板状を成し、その外径が円柱形状の棒状化粧料Ｍの外径に略一致する構成とされている。
【００２１】
支持片３ｄは、図２〜図７に示すように、基部３ｃにおける外周面の周方向の複数位置（本実施形態では四等配の位置）に先端側に向かって突出するように設けられている。この支持片３ｄは、その内周面が棒状化粧料Ｍを支持可能な円弧面とされ、これら四個の支持片３ｄ，３ｄ同士の間に、棒状化粧料Ｍの後端部が嵌め込まれて支持されると共に、基部３ｃに対して棒状化粧料Ｍの後端面Ｅが接着剤Ｂにより接着される。この接着に関しては後述する。
【００２２】
なお、支持片３ｄの各々の内面には、図５及び図７に示すように、軸線方向に延びる突条３ｆが設けられている。この突条３ｆは、棒状化粧料Ｍとの接触面積を増大し摩擦抵抗を増大すると共に棒状化粧料Ｍの回転を阻止するためのものである。
【００２３】
この支持部３ａ及び軸体部３ｂを有する棒状化粧料支持体３は、図２及び図３に示すように、その基部３ｃが先筒１の棒状化粧料孔１ａに進入すると共にその支持片３ｄが先筒１の支持片溝１ｂに進入するようにして、進退孔１ｃに内挿されていると共に、その軸体部３ｂが螺子筒４に内挿され雄螺子３ｅが螺合突起に係合する螺合状態とされている。なお、進退孔１ｃを構成する支持片溝１ｂの先端面が、支持片３ｄの先端面が突き当たる棒状化粧料支持体３の前進限とされている。
【００２４】
そして、図６及び図７に示すように、先筒１の進退孔１ｃは、当該進退孔１ｃを構成する棒状化粧料孔１ａが棒状化粧料Ｍ及び基部３ｃの外周面に近接すると共に、当該進退孔１ｃを構成する支持片溝１ｂが支持片３ｄの外周面に近接する構成とされている。また、進退孔１ｃにおける支持片溝１ｂを除く内周面、すなわち、進退孔１ｃの軸心に向かって突出する凸部の突出面１ｅは、その縁部が、棒状化粧料支持体３の回り止めとして機能すべく、その両脇に位置する支持片３ｄ，３ｄに近接する構成とされている。
【００２５】
また、図２及び図３に示すように、先筒１の段差面１ｄと螺子筒４の鍔部４ａの先端面との間には、圧縮バネ５が配置されている。この圧縮バネ５は、操作筒２に回転不能且つ軸線方向移動可能に連結されて成る螺子筒４のその鍔部４ａを、常時、操作筒２の先端面に押し付けるものである。
【００２６】
なお、先筒１の段差面１ｄと圧縮バネ５との間には、リング体６が介在する構成とされている。また、先筒１の後端部の内周面と操作筒２の外周面との間には、良好な回転抵抗を与えるための弾性リング７が装着されている。
【００２７】
ここで、特に、本実施形態においては、図２〜図７に示すように、隣接する支持片３ｄ，３ｄ同士の間の隙間を塞ぐように延出壁３ｇが各々設けられている。この延出壁３ｇは、基部３ｃの棒状化粧料Ｍに対する当接面の縁部から支持片３ｄの軸線方向途中迄延出するように設けられている。すなわち、延出壁３ｇは、その外周面が、棒状化粧料Ｍ及び基部３ｃの外周面と略面一とされている。また、基部３ｃには、図５〜図７に示すように、所定の凹部が接着剤溜まり３ｈとして設けられている。
【００２８】
そして、棒状化粧料Ｍは、図２に示すように、その後端面Ｅが接着剤Ｂを介して基部３ｃに接着されている。この棒状化粧料Ｍの基部３ｃに対する接着は、先ず、基部３ｃに接着剤を所定量流し込み、接着剤を接着剤溜まり３ｈに溜めると共に所定量の厚さの接着層を基部３ｃ上に設ける。なお、接着層は均一厚さが好ましいが、多少偏っていても問題ない。
【００２９】
この時、隣接する支持片３ｄ，３ｄ同士の間の隙間を塞ぐように延出壁３ｇが設けられているため、当該延出壁３ｇにより、接着剤が棒状化粧料支持体３の周面へ漏出することが防止され、当該棒状化粧料支持体３（特に基部３ｃ）の周面に対して接着剤が付着することが防止されている。
【００３０】
このように基部３ｃに接着剤を流し込んだら、棒状化粧料Ｍを先筒１の棒状化粧料孔１ａを通して支持片３ｄ，３ｄ間に嵌め込んでいく。この時、棒状化粧料Ｍは、延出壁３ｇに対応する外周部分及び突条３ｆに対応する外周部分が当該棒状化粧料Ｍの嵌め込みにより多少削られながら、その後端面Ｅが接着層に達する。ここで、接着剤が多い場合には、接着剤は支持片３ｄの内周面にも回り込む。この時、上記延出壁３ｇにより接着剤の漏出は勿論防止される。
【００３１】
そして、接着剤が固化することにより、棒状化粧料Ｍが棒状化粧料支持体３に接着される。この時、接着剤溜まり３ｈにより、基部３ｃに対する接着剤の接着面積が大きくされるため、棒状化粧料Ｍは棒状化粧料支持体３に一層強固に接着される。そして、この状態で、棒状化粧料Ｍにおける延出壁３ｇより先端側の部分に対して、進退孔１ｃにおける支持片溝１ｂを除く内周面、すなわち進退孔１ｃの軸心に向かって突出する凸部の突出面１ｅは近接した状態にある。
【００３２】
なお、ここでは、特に好ましいとして、加熱により液化し塗布後冷却固化することにより接着力を発揮する例えばホットメルト接着剤が用いられているが、これに限定されるものではない。
【００３３】
このように構成された棒状化粧料繰出容器１００にあっては、先筒１と操作筒２を持って相対回転すると、螺子筒４の螺合突起と棒状化粧料支持体３の雄螺子３ｅで構成される螺合機構、棒状化粧料支持体３の支持片３ｄと先筒１の支持片溝１ｂで構成される回り止め機構に従い、棒状化粧料支持体３が進退し、棒状化粧料Ｍが先筒１の先端から出没し塗布が可能とされる。
【００３４】
この時、延出壁３ｇにより棒状化粧料支持体３の周面に対する接着剤の付着が防止されているため、棒状化粧料支持体３及び棒状化粧料Ｍは円滑に進退される。
【００３５】
また、この棒状化粧料繰出容器１００にあっては、例えば、当該棒状化粧料繰出容器１００を落とす等して衝撃や振動等の外力が作用しても、棒状化粧料Ｍの後端部が棒状化粧料支持体３の複数の支持片３ｄにより支持されていると共に当該棒状化粧料Ｍの後端面Ｅが接着剤Ｂにより棒状化粧料支持体３の基部３ｃに接着され、棒状化粧料Ｍが棒状化粧料支持体３に強固に支持されているため、棒状化粧料Ｍの棒状化粧料支持体３からの抜けが防止されると共に、棒状化粧料Ｍにおける延出壁３ｇより先端側の部分と進退孔１ｃの軸心に向かって突出する凸部の突出面１ｅとが近接し、当該近接部分により棒状化粧料Ｍのブレが良好に支えられるため、棒状化粧料Ｍの折れが防止される。
【００３６】
また、この外力作用時にあって、螺子筒４は、当該螺子筒４に螺合する棒状化粧料支持体３を伴って圧縮バネ５の付勢力に抗して当該圧縮バネ５を圧縮しつつその突部４ｂが操作筒２のスリット２ａを摺動しながら前進し、この前進及び圧縮バネ５の圧縮作用により衝撃や振動が吸収されて、棒状化粧料Ｍの棒状化粧料支持体３からの抜け及び折れが一層防止されている。そして、衝撃や振動が無くなると、圧縮バネ５が螺子筒４を弾発し、螺子筒４は、その突部４ｂが操作筒２のスリット２ａを摺動しながら後退し、当初の位置に戻される。
【００３７】
なお、上記雄螺子３ｅには、間欠的に配される突起群又は螺旋状且つ間欠的に配される突起群であって、螺子山と同様な働きをするものを含み、また、雌螺子には、間欠的に配される突起群又は螺旋状且つ間欠的に配される突起群であって、螺子山と同様な働きをするものを含む。
【００３８】
以上、本発明をその実施形態に基づき具体的に説明したが、本発明は上記実施形態に限定されるものではなく、例えば、上記実施形態においては、円柱形状の棒状化粧料Ｍに対する適用を述べているが、勿論横断面が楕円形状の棒状化粧料に対しても適用可能であり、この場合には、基部を横断面楕円形状とし、この基部の外周面において周方向に複数配設されて前方へ突出し横断面楕円形状の棒状化粧料の後端部の外周面を支持するように支持片を設ければ良い。
【００３９】
なお、本発明は、例えば実公昭５９−１７２１０号公報に記載のような、先筒と、この先筒の後端側に回転自在に連結された（実際には中筒を介して回転可能に連結された）操作筒と、を備え、先筒には、棒状化粧料を支持する支持片を収容すると共に支持片を進退可能とする進退孔が設けられ、操作筒には、その内周側に軸線方向に延在する雌螺子が設けられると共に、支持片を備える支持棒のその後側に配設される押棒が収容され、この押棒の後端部に設けられた突部が、操作筒の内周側の雌螺子に螺合して螺合機構を構成し、先筒と操作筒とを相対回転すると、螺合機構の動作に従い押棒が進退し、前進する押棒に支持棒が押されて棒状化粧料が先筒の先端から突出する一方で、先筒と操作筒とを逆方向に相対回転すると、螺合機構の動作に従い押棒が後退し支持棒に係止された戻しバネの作用で当該支持棒が先筒内の元の位置迄引き戻されて棒状化粧料が先筒の先端から没入し、加えて、先筒を操作筒から抜脱すると、戻しバネの作用で支持棒が先筒内の元の位置迄引き戻されて棒状化粧料が先筒の先端から没入する構成の棒状化粧料繰出容器に対しても適用可能であり、要は、棒状化粧料の後端面が突き当てられる基部と、この基部の外周面において周方向に複数配設されて前方へ突出し棒状化粧料の後端部の外周面を支持する支持片と、を有する棒状化粧料支持体全てに適用可能である。
【図面の簡単な説明】
【００４０】
【図１】本発明の実施形態に係る棒状化粧料支持体を備えた棒状化粧料繰出容器を示す斜視図である。
【図２】図１に示す棒状化粧料繰出容器の破断斜視図である。
【図３】図１に示す棒状化粧料繰出容器の棒状化粧料装着前の破断斜視図である。
【図４】図２及び図３中の棒状化粧料支持体を示す斜視図である。
【図５】図４に示す棒状化粧料支持体の縦断斜視図である。
【図６】図３のVI−VI矢視図である。
【図７】図３のVII−VII矢視図である。
【符号の説明】
【００４１】
１…先筒、１ａ…棒状化粧料孔、１ｂ…支持片溝、１ｃ…進退孔、２…操作筒、３…棒状化粧料支持体、３ｃ…基部、３ｄ…支持片、３ｅ…雄螺子（螺合機構）、３ｇ…延出壁、３ｈ…凹部（接着剤溜まり）、Ｂ…接着剤、Ｅ…棒状化粧料の後端面、Ｍ…棒状化粧料、１００…棒状化粧料繰出容器。
【図１】
2006158781.tif 000003
【図２】
2006158781.tif 000004
【図３】
2006158781.tif 000005
【図４】
2006158781.tif 000006
【図５】
2006158781.tif 000007
【図６】
2006158781.tif 000008
【図７】
2006158781.tif 000009